(57)【要約】【課題】一対の外フラップが連結される前の段ボール箱をベース部材の枠部に嵌め合わす作業を容易化すること。【解決手段】第１内フラップ５２１は、複数の指を挿入して前記第１内フラップ５２１を把持可能な把持孔５２ａおよび支え片５２１１を有する。前記把持孔５２ａは、前記支え片５２１１の切り起こしにより形成されている。前記第１内フラップ５２１の掴み部５２１２と前記支え片５２１１とが、前記把持孔５２ａに挿入される複数の指によって把持されたときに、前記第１内フラップ５２１が、第３側板５２３および第４側板５２４の間に配置されることにより、胴筒部５１が四角筒状に保持されるとともに、前記支え片５２１１は、前記第１内フラップ５２１が傾倒する角度を制限する。【選択図】図３
2020147287.tif 000002
【特許請求の範囲】
【請求項１】
段ボール紙により構成され、四角筒状に連なる胴筒部と、前記胴筒部を成す４つの側板のうち対向する第１側板および第２側板に連なる第１内フラップおよび第２内フラップと、前記４つの側板のうち残りの対向する第３側板および第４側板に連なる第１外フラップおよび第２外フラップと、を有する段ボール箱であって、
前記第１内フラップは、
前記第１側板との境界寄りの部分に、複数の指を挿入して前記第１内フラップを把持可能な把持孔と、
前記第１内フラップの四方のうち前記第１側板との境界側の方向を除く三方に亘る一連の切れ目の内側の部分が切り起こされることによって形成される支え片と、を有し、
前記第１内フラップの前記把持孔は、前記支え片の切り起こしにより形成され、
前記第１内フラップにおける前記把持孔よりも前記第１側板側の部分である第１掴み部と前記支え片とが、前記把持孔に挿入される複数の指によって把持されたときに、前記第１内フラップが、前記第１側板の内面側へ傾倒し前記第３側板および前記第４側板の間に配置されることにより、前記胴筒部が四角筒状に保持されるとともに、前記支え片は、その先端が前記第１側板の内側面に当接することにより、前記第１内フラップが前記第１側板の内側面側へ傾倒する角度を制限する、段ボール箱。
【請求項２】
前記第１外フラップにおける前記第１内フラップの前記把持孔に重なる部分の両側に、前記第１外フラップにおける前記第３側板との境界に対し反対側の縁から切れ込む一対の切れ込みが形成されており、
前記第１内フラップが前記第１側板の内側面側へ傾倒され、かつ、前記第１外フラップが前記第１内フラップの外側に被せられた状態において、前記第１外フラップにおける前記一対の切れ込みに沿って切り起こされる係合片が、前記第１内フラップの前記把持孔の縁部に密接する状態で前記把持孔に挿入可能であり、
前記係合片が前記把持孔に挿入された状態において、前記第１内フラップの前記第１掴み部と、前記第１外フラップにおける前記第１掴み部の一部に被さる部分である第２掴み部とを、前記把持孔に挿入される複数の指によって把持することが可能である、請求項１に記載の段ボール箱。
【請求項３】
前記支え片における根元部から先端までの第１長さは、前記第１内フラップにおける前記第１側板との境界から前記支え片の根元部までの第２長さと同じまたは前記第２長さよりも長い、請求項２に記載の段ボール箱。
【請求項４】
前記胴筒部における前記第１内フラップ、前記第２内フラップ、前記第１外フラップおよび前記第２外フラップが形成されている側の反対側の端は、フラップが形成されておらず開口している、請求項１から請求項３のいずれか１項に記載の段ボール箱。
【請求項５】
被梱包物が載置される矩形状の底板部および前記底板部と一体に構成され前記底板部の４つの縁から起立した四角筒状の枠部を有するベース部材と、
前記被梱包物の上に載置された緩衝部材と、
前記被梱包物および前記緩衝部材に被せられた請求項４に記載の段ボール箱と、を備え、
前記段ボール箱の前記胴筒部は、四角筒状に保持された状態で前記ベース部材の前記枠部に嵌め合わされている、梱包体。
【発明の詳細な説明】
【技術分野】
【０００１】
本発明は、フラップを有する段ボール箱およびそれを含む梱包体に関する。
【背景技術】
【０００２】
一般に、段ボール箱は、四角筒状の胴筒部と一対の内フラップおよび一対の外フラップとを有する。前記段ボール箱は、前記胴筒部が折り畳まれた扁平な状態から立体的な箱状に組み立てられる。
【０００３】
また、ベース部材および前記ベース部材と連結された前記段ボール箱が、梱包箱として利用される場合がある（例えば、特許文献１参照）。前記胴筒部における前記一対の内フラップおよび前記一対の外フラップが形成されている側の反対側の端は、フラップが形成されておらず開口している。
【０００４】
また、前記ベース部材は、被梱包物が載置される矩形状の底板部と、前記底板部と一体に構成され前記底板部の４つの縁から起立した四角筒状の枠部とを有する。
【０００５】
前記梱包箱において、前記段ボール箱が前記底板部に載置された被梱包物を覆う状態で、前記段ボール箱の前記胴筒部が前記ベース部材の前記枠部と連結される。前記被梱包物は、前記梱包箱に収容された状態で梱包体として流通する。
【先行技術文献】
【特許文献】
【０００６】
【特許文献１】特願平９−３６４１１２号公報
【発明の概要】
【発明が解決しようとする課題】
【０００７】
ところで、前記梱包体の組み立て工程において、前記段ボール箱が前記ベース部材上の前記被梱包物に被せられ、さらに前記段ボール箱の前記胴筒部が前記ベース部材の前記枠部に嵌め合わされた後に、前記被梱包物の上に緩衝部材が載置され、さらに前記一対の外フラップが粘着テープなどによって連結される場合がある。
【０００８】
前記一対の外フラップが連結される前に、前記胴筒部の角部を直角に維持しながら前記段ボール箱の前記胴筒部を前記ベース部材の前記枠部に嵌め合わせる作業は容易ではない。特に、前記段ボール箱が大きいほど、前記胴筒部の角部を直角に維持しながら前記段ボール箱を取り扱うことは難しい。
【０００９】
従って、前記梱包体の組み立て作業を効率化するにあたり、その作業の熟練者を確保すること、または、二人以上の作業者を確保することなどが必要となる。しかしながら、非熟練者であっても一人でこの作業を容易に行えることが望ましい。
【００１０】
本発明の目的は、一対の外フラップが連結される前の段ボール箱をベース部材の枠部に嵌め合わす作業を容易化できる段ボール箱およびその段ボール箱を含む梱包体を提供することにある。
【課題を解決するための手段】
【００１１】
本発明の一の局面に係る段ボール箱は、段ボール紙により構成され、四角筒状に連なる胴筒部と、前記胴筒部を成す４つの側板のうち対向する第１側板および第２側板に連なる第１内フラップおよび第２内フラップと、前記４つの側板のうち残りの対向する第３側板および第４側板に連なる第１外フラップおよび第２外フラップと、を有する。前記第１内フラップは、前記第１側板との境界寄りの部分に、複数の指を挿入して前記第１内フラップを把持可能な把持孔と、前記第１内フラップの四方のうち前記第１側板との境界側の方向を除く三方に亘る一連の切れ目の内側の部分が切り起こされることによって形成される支え片と、を有する。前記第１内フラップの前記把持孔は、前記支え片の切り起こしにより形成されている。前記第１内フラップにおける前記把持孔よりも前記第１側板側の部分である掴み部と前記支え片とが、前記把持孔に挿入される複数の指によって把持されたときに、前記第１内フラップが、前記第１側板の内面側へ傾倒し前記第３側板および前記第４側板の間に配置されることにより、前記胴筒部が四角筒状に保持されるとともに、前記支え片は、その先端が前記第１側板の内側面に当接することにより、前記第１内フラップが前記第１側板の内側面側へ傾倒する角度を制限する。
【００１２】
本発明の他の局面に係る梱包体は、ベース部材と、緩衝部材と、前記段ボール箱とを備える。前記段ボール箱の前記胴筒部における前記一対の内フラップおよび前記一対の外フラップが形成されている側の反対側の端は、フラップが形成されておらず開口している。前記ベース部材は、被梱包物が載置される矩形状の底板部および前記底板部と一体に構成され前記底板部の４つの縁から起立した四角筒状の枠部を有する。前記緩衝部材は、前記被梱包物の上に載置されている。前記段ボール箱は、前記被梱包物および前記緩衝部材に被せられている。前記段ボール箱の前記胴筒部は、四角筒状に保持された状態で前記ベース部材の前記枠部に嵌め合わされている。
【発明の効果】
【００１３】
本発明によれば、本発明の目的は、一対の外フラップが連結される前の段ボール箱をベース部材の枠部に嵌め合わす作業を容易化できる段ボール箱およびその段ボール箱を含む梱包体を提供することが可能になる。
【図面の簡単な説明】
【００１４】
【図１】図１は、実施形態に係る段ボール箱を含む梱包体の分解斜視図である。
【図２】図２は、実施形態に係る段ボール箱を含む梱包体の斜視図である。
【図３】図３は、実施形態に係る段ボール箱の斜視図である。
【図４】図４は、実施形態に係る段ボール箱の主要部の平面図である。
【図５】図５は、実施形態に係る段ボール箱の主要部の断面図である。
【発明を実施するための形態】
【００１５】
以下、図面を参照しながら、本発明の実施形態について説明する。なお、以下の実施形態は、本発明を具体化した一例であって、本発明の技術的範囲を限定するものではない。
【００１６】
［梱包体１０の構成］
実施形態に係る段ボール箱５は、梱包体１０の一部を構成している。
【００１７】
梱包体１０は、ベース部材１と、下緩衝部材２と、被梱包物３と、上緩衝部材４と、段ボール箱５とを備える。被梱包物３は、流通または運搬の対象となる物品である。図１に示される例では、被梱包物３は画像形成装置である。
【００１８】
ベース部材１は、矩形状の底板部１１および底板部１１と一体に構成された枠部１２を備える。底板部１１は、被梱包物３が載置される部分である。本実施形態において、下緩衝部材２が、底板部１１と被梱包物３との間に挟み込まれる。
【００１９】
枠部１２は、底板部１１の４つの縁から起立した四角筒状の部分である。例えば、ベース部材１が、段ボール紙で構成されていることが考えられる。また、底板部１１が木材で構成され、枠部１２が段ボール紙で構成されてもよい。
【００２０】
被梱包物３は、底板部１１との間に下緩衝部材２が挟み込まれる状態で、底板部１１に載置されている。例えば、下緩衝部材２は、発泡樹脂または重ねられて複数の層を形成する段ボール紙などで構成される。
【００２１】
梱包体１０において、上緩衝部材４は、被梱包物３の上に載置されている。図１に示される例において、上緩衝部材４は、被梱包物３の上面および側面に接する部材である。
【００２２】
段ボール箱５は、段ボール紙により構成されている。段ボール箱５は、四角筒状に連なる胴筒部５１と、一対の内フラップ５２と、一対の外フラップ５３とを含む。
【００２３】
一対の内フラップ５２および一対の外フラップ５３は、胴筒部５１における一方の端の第１開口５ａの縁から延びて形成されている。第１開口５ａは、一対の外フラップ５３によって塞がれる（図２参照）。一対の外フラップ５３は、第１開口５ａを塞ぐ状態で、粘着テープなどのフラップ連結部材６によって連結される（図２参照）。
【００２４】
一方、胴筒部５１における他方の端の第２開口５ｂの縁にはフラップは形成されていない。即ち、胴筒部５１における一対の内フラップ５２および一対の外フラップ５３が形成されている側の反対側の端は、フラップが形成されておらず開口している。
【００２５】
図１に示されるように、一対の内フラップ５２は、第１内フラップ５２１および第２内フラップ５２２を含み、一対の外フラップ５３は、第１外フラップ５３１および第２外フラップ５３２を含む。なお、第１内フラップ５２１および第２内フラップ５２２の位置関係、または、第１外フラップ５３１および第２外フラップ５３２の位置関係が、図１に示される位置関係と逆であってもよい。
【００２６】
胴筒部５１を成す４つの側板は、第１側板５１１と、相互に対向する第１側板５１１および第２側板５１２と、相互に対向する第３側板５１３および第４側板５１４とを含む。図１に示される例では、第４側板５１４に連なる糊代部５１５が第２側板５１２の内側面に接着されることにより、第２側板５１２および第４側板５１４が連なっている。
【００２７】
段ボール箱５は、胴筒部５１が折り畳まれた扁平な状態から立体的な箱状に組み立てられる。なお、糊代部５１５は、予め第２側板５１２に接着されている。
【００２８】
第１内フラップ５２１は第１側板５１１に連なり、第２内フラップ５２２は第２側板５１２に連なり、第１外フラップ５３１は第３側板５１３に連なり、第２外フラップ５３２は第４側板５１４に連なっている。
【００２９】
梱包体１０において、段ボール箱５は、被梱包物３および上緩衝部材４に被せられている。段ボール箱５が被梱包物３および上緩衝部材４に被せられた状態において、段ボール箱５の胴筒部５１は、ベース部材１の枠部１２に嵌め合わされている。
【００３０】
具体的には、胴筒部５１における第２開口５ｂ寄りの部分が、ベース部材１の枠部１２に嵌め合わされている。本実施形態において、胴筒部５１における第２開口５ｂ寄りの部分が、ベース部材１の枠部１２の外側面に重なる。
【００３１】
図１に示されるように、ベース部材１の枠部１２には、複数の第１連結孔１２ａが形成されている。さらに、胴筒部５１には、胴筒部５１が枠部１２に嵌め合わされた状態において複数の第１連結孔１２ａに重なる複数の第２連結孔５１ａが形成されている。
【００３２】
そして、重なった複数の第１連結孔１２ａおよび複数の第２連結孔５１ａに箱連結部材７が嵌め入れられる（図２参照）。これにより、段ボール箱５の胴筒部５１がベース部材１の枠部１２に連結される。例えば、箱連結部材７は、手掛け部となる凹部が形成された合成樹脂の部材である。
【００３３】
ところで、梱包体１０の組み立て工程において、段ボール箱５がベース部材１上の被梱包物３に被せられ、さらに段ボール箱５の胴筒部５１がベース部材１の枠部１２に嵌め合わされた後に、被梱包物３の上に上緩衝部材４が載置され、さらに一対の外フラップ５３が粘着テープなどのフラップ連結部材６によって連結される場合がある。
【００３４】
なお、一対の内フラップ５２が第１開口５ａの一部を塞ぐ位置へ折り倒された後、一対の外フラップ５３が一対の内フラップ５２の上に重なる位置へ折り倒された上で、一対の外フラップ５３がフラップ連結部材６によって連結されることは言うまでも無い。
【００３５】
一対の外フラップ５３が連結される前に、胴筒部５１の角部を直角に維持しながら段ボール箱５の胴筒部５１をベース部材１の枠部１２に嵌め合わせる作業は容易ではない。特に、段ボール箱５が大きいほど、胴筒部５１の角部を直角に維持しながら段ボール箱５を取り扱うことは難しい。
【００３６】
従って、梱包体１０の組み立て作業を効率化するにあたり、その作業の熟練者を確保すること、または、二人以上の作業者を確保することなどが必要となる。しかしながら、非熟練者であっても一人でこの作業を容易に行えることが望ましい。
【００３７】
段ボール箱５は、一対の外フラップ５３が連結される前の段ボール箱５をベース部材１の枠部１２に嵌め合わす作業を容易化できる構造を備える。以下、その構造について説明する。
【００３８】
図１に示されるように、第１内フラップ５２１における第１側板５１１との境界寄りの部分に、四方のうち第１側板５１１との境界側の方向を除く三方に亘る一連の切れ目５２ａが形成されている。
【００３９】
第１内フラップ５２１における切れ目５２ａの内側の部分は、第１側板５１１側の部分を中心にして切り起こしが可能である。第１内フラップ５２１における切れ目５２ａの内側の部分が切り起こされることにより、切れ目５２ａの内側に開口が形成される。
【００４０】
以下の説明において、第１内フラップ５２１における切れ目５２ａの内側の部分が切り起こされることによって形成される開口のことを把持孔５２ｂと称する。また、第１内フラップ５２１における切れ目５２ａの内側の部分、即ち、第１内フラップ５２１における切れ目５２ａに沿って切り起こされる部分のことを支え片５２１１と称する。
【００４１】
換言すれば、第１内フラップ５２１は、一連の切れ目５２ａの内側の部分が切り起こされることによって形成される支え片５２１１を有する。第１内フラップ５２１の把持孔５２ｂは、支え片５２１１の切り起こしにより形成される。
【００４２】
把持孔５２ｂは、複数の指Ｆ１を挿入可能な開口である（図４参照）。図４に示される例では、４本の指Ｆ１が把持孔５２ｂに挿入されている。把持孔５２ｂは、第１内フラップ５２１における第１側板５１１との境界寄りの部分に形成されている。
【００４３】
図４において、複数の指Ｆ１が把持孔５２ｂに挿入されているときの作業者の手Ｈ１が仮想線（二点鎖線）で示されている。なお、把持孔５２ｂおよび支え片５２１１の役割については後述する。
【００４４】
図１に示されるように、第１外フラップ５３１には、一対の切れ込み５３ａが形成されている。一対の切れ込み５３ａは、第１外フラップ５３１における第１内フラップ５２１の把持孔５２ｂに重なる部分の両側に、第１外フラップ５３１における第３側板５１３との境界に対し反対側の縁から切れ込んで形成されている。
【００４５】
換言すれば、一対の切れ込み５３ａは、第１外フラップ５３１における先端から第３側板５１３に連なる根元部へ向かって切れ込んで形成されている。
【００４６】
第１外フラップ５３１における一対の切れ込み５３ａの間の部分は、切り起こし可能である。以下の説明において、第１外フラップ５３１における一対の切れ込み５３ａに沿って切り起こされる部分のことを係合片５３１１と称する。
【００４７】
図５は、図４にしめされる段ボール箱５の主要部におけるＰ−Ｐ平面に沿う断面図である。図３〜５に示されるように、第１内フラップ５２１が第１側板５１１の内側面５１１ａ側へ傾倒されることによって第１内フラップ５２１の両側端５２１ａが、第３側板５１３の内側面５１３ａおよび第４側板５１４の内側面５１４ａに接する。このような第１内フラップ５２１の状態のことを、以下、嵌入状態と称する。
【００４８】
前記嵌入状態は、第１内フラップ５２１が第３側板５１３と第４側板５１４との間に嵌め入れられた状態である。図３〜５は、第１内フラップ５２１が前記嵌入状態であり、かつ、第１外フラップ５３１が第１内フラップ５２１の外側に被せられた状態を示す。
【００４９】
図３〜５に示されるように、第１内フラップ５２１が前記嵌入状態であり、かつ、第１外フラップ５３１が第１内フラップ５２１の外側に被せられた状態において、係合片５３１１は、第１内フラップ５２１の把持孔５２ｂの縁部に密接する状態で把持孔５２ｂに挿入可能である。
【００５０】
以下の説明において、第１内フラップ５２１における把持孔５２ｂおよび第１側板５１１との境界部の間の部分のことを第１掴み部５２１２と称する。また、第１外フラップ５３１における第１掴み部５２１２の一部に被さる部分のことを第２掴み部５３１２と称する。第２掴み部５３１２は、第１外フラップ５３１における一対の切れ込み５３ａの間の部分である。
【００５１】
また、図４に示されるように、係合片５３１１が把持孔５２ｂに挿入された状態において、第１掴み部５２１２および第２掴み部５３１２を、把持孔５２ｂに挿入される複数の指Ｆ１によって把持することが可能である。
【００５２】
第１掴み部５２１２および第２掴み部５３１２が、把持孔５２ｂに挿入される複数の指Ｆ１によって掴まれることにより、胴筒部５１の４つの角部が安定的に直角に維持される。従って、段ボール箱５が大きい場合であても、胴筒部５１の４つの角部を直角に維持しながら段ボール箱５を取り扱うことが容易である。
【００５３】
従って、一対の外フラップ５３が連結される前に、胴筒部５１の４つの角部を直角に維持しながら段ボール箱５の胴筒部５１をベース部材１の枠部１２に嵌め合わせる作業も容易である。
【００５４】
本実施形態においては、第１掴み部５２１２、第２掴み部５３１２および支え片５２１１を、把持孔５２ｂに挿入される複数の指Ｆ１によって掴むことが可能である。
【００５５】
第１掴み部５２１２、第２掴み部５３１２および支え片５２１１が、把持孔５２ｂに挿入される複数の指Ｆ１によって掴まれたときに、支え片５２１１は、その先端が第１側板５１１の内側面５１１ａに当接することにより、第１内フラップ５２１が第１側板５１１の内側面５１１ａ側へ傾倒可能な範囲を制限する（図５参照）。換言すれば、支え片５２１１は、その先端が第１側板５１１の内側面５１１ａに当接することにより、第１内フラップ５２１が第１側板５１１の内側面５１１ａ側へ傾倒する角度を制限する。
【００５６】
従って、第１側板５１１に対する第１内フラップ５２１の角度が固定され、段ボール箱５の取り扱いがさらに容易である。
【００５７】
例えば、支え片５２１１における根元部から先端までの第１長さＬ１は、第１内フラップ５２１における第１側板５１１との境界から把持孔５２ｂの縁までの第２長さＬ２と同じまたは第２長さＬ２よりも長い（図５参照）。これにより、支え片５２１１が、第１内フラップ５２１と第１側板５１１とが成す角度を直角に近い鋭角に保持する。これにより、係合片５３１１が把持孔５２ｂから抜けにくい。
【００５８】
以下、段ボール箱５が梱包体１０に採用される場合における梱包体１０の組み立て手順の一例を示す。
【００５９】
まず、被梱包物３がベース部材１の底板部１１上に載置される。その際、下緩衝部材２が底板部１１上に載置され、被梱包物３は、下緩衝部材２を介して底板部１１上に載置される。
【００６０】
次に、段ボール箱５の第１内フラップ５２１が胴筒部５１内へ傾倒される。これにより、胴筒部５１が四角筒状に形成される。
【００６１】
次に、第１外フラップ５３１が第１内フラップ５２１の外側に被せされる。さらに、第１外フラップ５３１の係合片５３１１が、第１内フラップ５２１の把持孔５２ｂへ挿入される。
【００６２】
次に、第１内フラップ５２１の第１掴み部５３１２および第１外フラップ５３１の第２掴み部５３１２が、把持孔５２ｂに挿入される複数の指Ｆ１によって掴まれた状態で、段ボール箱５が、被梱包物３に被せられ、さらに段ボール箱５の胴筒部５１がベース部材１の枠部１２に嵌め合わせられる。
【００６３】
このように、段ボール箱５が、第１掴み部５３１２および第２掴み部５３１２が手Ｈ１で掴まれた状態で取り扱われることにより、胴筒部５１が安定的に四角筒状に保持される。
【００６４】
なお、第１外フラップ５３１に一対の切れ込み５３ａが形成されていない場合も考えられる。この場合、第１掴み部５３１２と支え片５２１１とが、把持孔５２ｂに挿入される複数の指Ｆ１によって把持されたときに、第１内フラップ５２１が、第１側板５１１の内側面５１１ａ側へ傾倒し、第３側板５１３と第４側板５１４の間に配置されることにより、胴筒部５１が四角筒状に保持される。このとき、支え片５２１１は、その先端が第１側板５１１の内側面に当接することにより、第１内フラップ５２１が第１側板５１１の内側面５１１ａ側へ傾倒する角度を制限する。
【００６５】
次に、被梱包物３に被せられた段ボール箱５における第１内フラップ５２１および第１外フラップ５３１が開かれ、上緩衝部材４が被梱包物３の上に載置される。
【００６６】
次に、被梱包物３上の上緩衝部材４の上に一対の内フラップ５２が重ねられ、さらに一対の外フラップ５３が一対の内フラップ５２の上に重ねられる。
【００６７】
そして、一対の外フラップ５３がフラップ連結部材６によって連結され、さらに、段ボール箱５の胴筒部５１が箱連結部材７によってベース部材１の枠部１２に連結される。
【００６８】
以上に示されるように、段ボール箱５が採用されることにより、一対の外フラップ５３が連結される前の段ボール箱５をベース部材１の枠部１２に嵌め合わす作業を容易化することができる。
【符号の説明】
【００６９】
１        ：ベース部材
２        ：下緩衝部材
３        ：被梱包物
４        ：上緩衝部材
５        ：段ボール箱
５ａ      ：第１開口
５ｂ      ：第２開口
６        ：フラップ連結部材
７        ：箱連結部材
１０      ：梱包体
１１      ：底板部
１２      ：枠部
１２ａ    ：第１連結孔
５１      ：胴筒部
５１ａ    ：第２連結孔
５２      ：内フラップ
５２ａ    ：切れ目
５２ｂ    ：把持孔
５３      ：外フラップ
５３ａ    ：切れ込み
５１１    ：第１側板
５１１ａ  ：内側面
５１２    ：第２側板
５１３    ：第３側板
５１３ａ  ：内側面
５１４    ：第４側板
５１４ａ  ：内側面
５１５    ：糊代部
５２１    ：第１内フラップ
５２１ａ  ：両側端
５２２    ：第２内フラップ
５３１    ：第１外フラップ
５３２    ：第２外フラップ
５２１１  ：支え片
５２１２  ：第１掴み部
５３１１  ：係合片
５３１２  ：第２掴み部
Ｆ１      ：指
Ｈ１      ：手
【図１】
2020147287.tif 000003
【図２】
2020147287.tif 000004
【図３】
2020147287.tif 000005
【図４】
2020147287.tif 000006
【図５】
2020147287.tif 000007